(57)【特許請求の範囲】
【請求項１】
少なくとも腹部、前脇部、臀部および股部を被覆し身体に密着させて着用するインナーボトムであって、インナーボトムの内面側に伸縮性の左右ヒップ当て布が縫着されており、前記左右ヒップ当て布の一側辺に設けた凹状湾曲部と連設する長部突出片を短部突出片に重ね合わせて立体的な孔部を形成し、前記長部突出片と短部突出片の重合部分は、ウエスト部と後中心線は縫着されているが、他の部分は縫着されず遊離していることを特徴とするインナーボトム。
【請求項２】
前記ヒップ当て布は、ウエスト周りでは左右方向より上下方向の伸縮性が強く、臀部周りでは臀溝に沿う斜め方向の伸縮性がその垂直方向より強く、後中心部では上下方向より左右方向の伸縮性が強くなっていることを特徴とする請求項１に記載のインナーボトム。
【発明の詳細な説明】
【技術分野】
【０００１】
本発明は、主としてガードル、ショーツ、ボディスーツなど身体に密着させて着用するインナーボトムに関し、さらに詳しくは、インナーボトムの内面側に縫着したヒップ当て布に孔部を設けて美しいヒップラインを現出するインナーボトムに関するものである。
【背景技術】
【０００２】
従来から、ガードル、ショーツ、ボディスーツなど身体に密着させて着用する衣類は、腹部、臀部、脚部などを補整して下半身のシルエットを美しく見せることが行われている。特に女性の身体は年齢を経てくると、下腹部に贅肉がついて膨出する傾向があり、ヒップ部はトップ位置が下がって垂れ気味になると共に、ウエスト部の周辺部においては、凹凸のメリハリがなくなって四角い形状になり、スマートなスタイルを保持しにくいことから、これらの部分を形態補整して下半身のシルエットラインを美しく見せることが行われている。
【０００３】
特に女性の後姿で一番目に付きやすいヒップについては、ヒップの形状を美しく補整してヒップアップの造型効果を図るために、従来から種々の手段が講じられ実用化されており、ヒップラインを美しく見せる各種のインナーボトムが提案されている。
【０００４】
例えば、登録実用新案第３０８７１４７号公報に示すように、ヒップの二つの山部分に対応する部位に伸縮性の大きな生地を、山部に挟まれた谷部分と山部分の外側に対応する部位に伸縮性の小さな生地を用いることにより、ヒップの谷間を潰すことなく、外側へ向くように補整できると共に、山部分は伸縮性の大きな生地であるから、ヒップを押え付けることなく膨らみを維持してふくよかなヒップを潰さず、自然な丸みを保つボディスーツが提案されている（例えば、特許文献１参照）。
【０００５】
また、実開平７−３３９１７号公報に示すように、ガードルの背面中央部に連結部を残して両側に開口部を設け、その開口部から着用者のヒップを外側に突出させて、ヒップアップ効果を図るガードルが提案されている。（例えば、特許文献２参照）。
【０００６】
さらに、登録実用新案第３０１０４７６号公報に示すように、ガードルの背面部内側に、略ハート型に切り抜いたヒップアップ用の伸縮性を有する織布を縫着して二重構造としたガードルが提案されている。また、特開平７−３１６９０２号公報に示すように、吊り上げ用サポータの臀部位置に孔を設けたガードルが提案されている（例えば、特許文献３、４参照）。
【先行技術文献】
【特許文献】
【０００７】
【特許文献１】登録実用新案第３０８７１４７号公報
【特許文献２】実開平７−３３９１７号公報
【特許文献３】登録実用新案第３０１０４７６号公報
【特許文献４】特開平７−３１６９０２号公報
【発明の概要】
【発明が解決しようとする課題】
【０００８】
しかしながら、上記特許文献１は、伸縮性の大きい部位と伸縮性の小さい部位の区分け編成による準備に手間がかかり非常に煩雑で効率の悪いものであった。また、伸縮性の大きい生地とはいえヒップトップを押え付けることになることから、自然な丸みを潰すことになり美しいヒップに補整することができなかった。
【０００９】
また、上記特許文献２は、ガードルの中央部に連結部を残して両側に開口部を設け、その開口部から着用者のヒップを外側に突出するのであるが、二つの開口部が連設しているため、着用した時に、一方の開口部が他方の開口部を引き寄せたりする影響があって着用感が悪かった。また、開口部から出たヒップは開口周縁部で支えることができず、ヒップが下がり気味になりヒップアップの効果を充分に発揮できないという問題点があった。
【００１０】
さらに、特許文献３と特許文献４は、裏打ち布や吊り上げ用サポータに孔部が形成されてあるが、この孔部は単に生地に孔を穿設しただけのものであり、明けられた孔は平面的な孔であるから、立体的な丸みを持つヒップにぴったりとフィットしないことから、やはりヒップアップの効果による美しいヒップラインは望み得ないといった問題点があった。
【００１１】
本発明は、上記のような問題点を解消することを課題として研究開発されたもので、インナーボトムの内面に縫着したヒップ当て布に立体的な孔部を形成して、ヒップトップが孔部にぴったりフィットしてヒップの自然な丸みを潰すことなく、ヒップアップ効果を上げて美しいヒップラインを現出できるインナーボトムを提供することを目的とするものである。
【課題を解決するための手段】
【００１２】
上記の課題を解決し、その目的を達成する手段として、本発明は、少なくとも腹部、前脇部、臀部および股部を被覆し身体に密着させて着用するインナーボトムであって、インナーボトムの内面側に伸縮性の左右ヒップ当て布が縫着されており、前記左右ヒップ当て布の一側辺に設けた凹状湾曲部と連設する長部突出片を短部突出片に重ね合わせて立体的な孔部を形成し、前記長部突出片と短部突出片の重合部分は、ウエスト部と後中心線は縫着されているが、他の部分は縫着されず遊離していることを特徴とするインナーボトムを開発し、採用した。
【００１３】
上記のように構成したインナーボトムにおいて、前記ヒップ当て布は、ウエスト周りでは左右方向より上下方向の伸縮性が強く、臀部周りでは臀溝に沿う斜め方向の伸縮性がその垂直方向より強く、後中心部では上下方向より左右方向の伸縮性が強くなっていることを特徴とするインナーボトムを開発し、採用した。
【発明の効果】
【００１４】
本発明は、ヒップ当て布の周辺縁のうち、一側辺に凹状湾曲部を形成し、長部突出片を短部突出片に重ね合わせて縫着することにより、簡単に孔部が形成され、その孔部は立体的な孔部であるから、着用した場合に、孔部はヒップの丸みに応じてフレシキブルに可動し、大きなヒップや小さなヒップであっても、フィットして自然の丸みを潰すことなくヒップアップを図ることができ、美しくて魅力的なヒップラインを現出することができる。
【００１５】
また、前記ヒップ当て布は、凹状湾曲部を除いてすべての周辺縁がインナーボトムの内面に縫着されているから、着用時に片寄ったりすることがないので着心地がよくなる。さらに、ウエスト周りでは上下方向、臀部周りでは臀溝に沿う斜め方向、後中心部では左右方向に弾性糸が挿入されているから、ウエストを押えて凸凹のメリハリができ、臀部では臀溝で支持してヒップの垂れ下がりを防止し、さらに、後中心線部では長部突出片と細幅テープで縫合されており、伸びを抑える効果を発揮してヒップの二つの山と谷をくっきりとメリハリをつけてヒップアップできる。また、前記長部突出片と短部突出片の交差部は縫着されず遊離しているから、形成される孔部はヒップに応じた大きさの孔部となってヒップにぴったりとフィットし支持することができる。
【図面の簡単な説明】
【００１６】
【図１】本発明の実施形態１の正面図である。
【図２】本発明の実施形態１の背面図である。
【図３】図１を反転した背面図である。
【図４】左側のヒップ当て布の正面図である。
【図５】孔部を形成するための重合状態を示す正面図である。
【図６】右側のヒップ当て布の正面図である。
【図７】孔部を形成するための重合状態を示す正面図である。
【図８】本発明の実施形態２の正面図である。
【図９】本発明の実施形態２の背面図である。
【図１０】図８を反転した背面図である。
【図１１】左側のヒップ当て布の正面図である。
【図１２】孔部を形成するための重合状態を示す正面図である。
【図１３】右側のヒップ当て布の正面図である。
【図１４】孔部を形成するための重合状態を示す正面図である。
【発明を実施するための形態】
【００１７】
以下に、本発明の実施形態１を図１〜図７に基づいて説明すれば、１はポリウレタン繊維やナイロン繊維などの弾性糸を含有する伸縮性経編地からなるロングガードルであり、前脇部を覆う身頃の前部分２と、臀部を覆う身頃の後部分３と、大腿部を覆う左右両脚部４，４と、身頃の前部分２と身頃の後部分３を連結する股部５とから構成されている。
【００１８】
前身頃の正面中央部にはウエスト部６から股部５に至る長さのデルタ状の表腹部布７が縫着されており、この表腹部布７は縦方向の伸びより横方向の伸びが良好になっている。また、身頃の後部分３，３は後中心線８で縫合されて一体化されている。
【００１９】
９はロングガードル１の内面側の身頃の前部分２から身頃の後部分３にかけて縫着される伸縮性生地のヒップ当て布であり、前記のロングガードル１の生地と同じポリウレタン繊維やナイロン繊維などの弾性糸を含有する切り離しの伸縮性経編生地であり、図４，図６に示すように、矢印方向に弾性糸が挿入されている左半分のヒップ当て布９ａと、右半分のヒップ当て布９ｂとが別々に形成されており、左右対称形になっていることから、左当て布９ａの形態についてだけ説明をして右当て布９ｂの形態についての説明は省略する。
【００２０】
すなわち、ヒップ当て布９は、伸縮性経編生地の１枚布で構成されており、ウエスト線１０から斜め下方の前脇線１１と続き、長い傾斜の臀溝線１２に連設してクロッチ線１３、後中心線１４を経て略横Ｊ字状の凹状湾曲部１５からなる周辺縁であり、この周辺縁は切り離しの生地であるから、縁取りや縫い代などの始末が不要となるばかりでなく、自由な曲線に裁断してもほつれることがない。
【００２１】
この凹状湾曲部１５は、ヒップ当て布９の後中心線１４の上端部１６と凹状湾曲部１５の一端部１５ａとの間で形成される先部が拡大した長部突出片１７と、ウエスト線１０の一側端部１８と凹状湾曲部１５の他端部１５ｂとの間で形成される短部突出片１９により構成されている。そして、図５に示すように、長部突出片１７を内方に折り曲げて拡大した先部を短部突出片１９に重ね合わせると、湾曲部１５が交差されて立体的な孔部２０が形成され、上端部がウエスト部６に縫着される。長部突出片１７と短部突出片１９の交差部分は縫製されず遊離した状態になっており、上下方向および左右方向に可動するようになっている。
【００２２】
左右のヒップ当て布９ａ，９ｂは身頃の前部分２の内面においては、腹部押え布２１の側縁から斜め下方に向かって臀溝に沿って股下の脚部の内側部まで当てがわれ縫着され二重構造になっている。また、ヒップ当て布９ａ，９ｂは後中心線１４に沿って長部突出片１７，１７と細幅テープ２２で縫合されている。
【００２３】
前身頃の正面中央部に設けた表腹部布７の内面側にも伸縮生地で同一大きさの腹部押え布２１を当てて縫い付け二重構造にしてあり、この二重生地により腹部を充分に押える機能を有している。
【００２４】
このように構成された本発明の実施形態１におけるロングガードルの作用、効果について説明すれば、ロングガードル１の内面に縫着されるヒップ当て布９は、所定形状の１枚布を後中心線で縫い合わせてあるから、立体的になりヒップの全体形状に沿ってぴったりと密着して美しいヒップを造り出すことができる。
【００２５】
また、ヒップ当て布９は、切り離しの伸縮性経編地の１枚布で構成されているから、縁取りや縫い代などの始末が不要となり、縫い目がなくアウターに悪影響を与えることがない。さらに、自由な曲線に裁断してもほつれることがない。また、長部突出片１７を折り曲げて短部突出片１９に重合させるのも容易となり、孔部２０を簡単に確実に作ることができる。
【００２６】
また、ヒップ当て布９は、腹部押え布２１の両側縁から斜め下方に向かい臀溝に沿って股部５の下部の脚部内側まで当てがわれ縫着して二重構造になり、また、後中心線８およびウエスト部６で縫い合わせてあるから、ウエスト周り部では左右方向より矢印Ａで示す上下方向の伸縮性が強く、ウエストを押えて凸凹のメリハリができると共に、前脇部と臀部では矢印Ｂで示す臀溝に沿う斜め方向の伸縮性がその垂直方向より強く、ヒップを支持して垂れ下がりを防止し、さらに、後中心線部では上下方向より矢印Ｃで示す左右方向の伸縮性が強く、経方向の伸縮性が抑えられているため、ヒップの二つの山と谷とのメリハリをつけてヒップアップできる。
【００２７】
また、ヒップ当て布９の孔部２０は、凹状湾曲部１５の長部突出片１７と短部突出片１９との重ね合わせにより形成されるから、平面的な孔ではなく、立体的な孔部２０になり、ヒップトップは孔部２０にピッタリとフィットしてヒップの自然な丸みを潰すことがなく、美しい形に補整することができ、魅力的なヒップラインを現出することができる。
【００２８】
さらに、長部突出片１７と短部突出片１９との重合部は上部と側部のみ縫製されていて他の部分は縫製されず遊離しているから、長部突出片１７と短部突出片１９の交差部は大きいヒップや小さいヒップなどヒップの丸みに合わせて上下左右方向にフレシキブルに可動し、ヒップトップを支持して自然の丸みを潰すことがなくなり、より美しい形のヒップを造り上げることができる。
【００２９】
つぎに、図８〜図１４に示すのは本発明の実施形態２を示すもので、前記実施形態１においては、大腿部を覆う脚部４を有するロングガードル１であったが、この実施形態２では脚部のないショートガードルである。
【００３０】
すなわち、３１はポリウレタン繊維やナイロン繊維などを組み合わせて編成された伸縮性経編地からなるインナーボトムの１種であるショートガードルであり、腹部を覆う身頃の前部分３２と、臀部を覆う身頃の後部分３３と、身頃の前部分３２と身頃の後部分３３を連結する股部３５とから構成されている。
【００３１】
前身頃の正面中央部にはウエスト部３６から股部３５に至る長さのデルタ状の表腹部布３７が縫着されており、この表腹部布３７は縦方向の伸びより横方向の伸びが良好になっている。また、身頃の後部分３３、３３は後中心線３８で縫合されて一体化されている。
【００３２】
３９はショートガードル３１の内面側の身頃の前部分３２から身頃の後部分３３にかけて縫着される伸縮性生地のヒップ当て布であり、前記のショートガードル３１の生地と同じポリウレタン繊維やナイロン繊維などの弾性糸を含有する切り離しの伸縮性経編生地であり、図１１，図１３に示すように、矢印方向に弾性糸が挿入されている左半分のヒップ当て布３９ａと、右半分のヒップ当て布３９ｂとが別々に形成されており、左右対称形になっていることから、左当て布３９ａの形態についてだけ説明をして右当て布３９ｂの形態についての説明は省略する。
【００３３】
すなわち、ヒップ当て布３９は、伸縮性経編地の１枚布で構成されており、ウエスト線４０から斜め下方の前脇線４１と続き、長い傾斜の臀溝線４２に連設してクロッチ線４３、後中心線４４を経て略横Ｊ字状の凹状湾曲部４５からなる周辺縁であり、この周辺縁は切り離しの生地であるから、縁取りや縫い代などの始末が不要となるばかりでなく、自由な曲線に裁断してもほつれることがない。
【００３４】
この凹状湾曲部４５は、ヒップ当て布３９の後中心線４４の上端部４６と凹状湾曲部４５の一端部４５ａとの間で形成される先部が拡大した長部突出片４７と、ウエスト線４０の一側端部４８と凹状湾曲部４５の他端部４５ｂとの間で形成される短部突出片４９により構成されている。そして、図１２に示すように、長部突出片４７を内方に折り曲げて拡大した先部を短部突出片４９に重ね合わせると、湾曲部４５が交差されて立体的な孔部５０が形成され、上端部がウエスト部３６に縫着される。長部突出片４７と短部突出片４９の交差部は縫製されず遊離した状態になっており、上下方向および左右方向に可動するようになっている。
【００３５】
左右のヒップ当て布３９ａ，３９ｂは身頃の前部分３２の内面においては、腹部押え布５１の側縁から斜め下方に向かって臀溝に沿って股下の脚部の内側まで当てがわれ縫着され二重構造になっている。また、ヒップ当て布３９ａ，３９ｂは後中心線３８に沿って長部突出片４７，４７と細幅テープ５２で縫合されている。
【００３６】
前身頃の正面中央部に設けた表腹部布３７の内面側にも伸縮生地で同一大きさの腹部押え布５１を当てて縫い付けて二重構造にしてあり、この二重生地により腹部を充分に押える機能を有している。
【００３７】
このように構成された本発明の実施形態２におけるショートガードル３１の作用、効果について説明すれば、ショートガードル３１の内面に縫着されるヒップ当て布３９は、所定形状の１枚布を後中心線で縫い合わせてあるから、立体的になりヒップの全体形状に沿ってぴったりと密着して美しいヒップを造り出すことができる。
【００３８】
また、ヒップ当て布３９は、切り離しの伸縮性経編地の１枚布で構成されているから、縁取りや縫い代などの始末が不要となり、縫い目がなくなってアウターに悪影響を与えることがない。さらに、自由な曲線に裁断してもほつれることがない。また、長部突出片４７を折り曲げて短部突出片４９に重合させるのも容易となり、孔部を簡単に確実に作ることができる。
【００３９】
また、ヒップ当て布３９は、腹部押え布３７の両側縁から斜め下方に向かい臀溝に沿って股部３５の下部の脚部内側まで当てがわれ縫着されて二重構造になり、また、後中心線３８およびウエスト部３６で縫い合わせてあるから、ウエスト周り部では左右方向より矢印Ａで示す上下方向の伸縮性が強く、ウエストを押えて凸凹のメリハリができると共に、前脇部と臀部では矢印Ｂで示す臀溝に沿う斜め方向の伸縮性がその垂直方向より強く、ヒップを支持して垂れ下がりを防止し、さらに、後中心線部では上下方向より矢印Ｃで示す左右方向の伸縮性が強く、経方向の伸縮性が抑えられているため、ヒップの二つの山と谷とのメリハリをつけてヒップアップできる。
【００４０】
また、ヒップ当て布３９の孔部５０は、凹状湾曲部４５の長部突出片４７と短部突出片４９との重ね合わせにより形成されるから、平面的な孔ではなく、立体的な孔部５０になり、ヒップトップは孔部５０にぴったりとフィッして自然な丸みを潰すことがなく、美しい形に補整することができ、魅力的なヒップラインを現出することができる。
【００４１】
さらに、長部突出片４７と短部突出片４９との重合部は上部と側部のみ縫製されていて他の部分は縫製されず遊離していることから、長部突出片４７と短部突出片４９の交差部は大きいヒップや小さいヒップなどヒップの丸みに合わせて上下左右方向にフレシキブルに可動し、ヒップトップを支持して自然の丸みを潰すことがなくなり、より美しい形のヒップを造り上げることができる。
【００４２】
以上、本発明の実施の形態についは、ロングガードルとショートガードルの例で説明したが、それらに限定されるものではなく、腹部、臀部、股部を覆うことが可能な下半身用衣類であれば適用することが可能であり、要するに発明の目的を達成でき、かつ発明の要旨を逸脱しない範囲内において種々の設計変更が可能であることは当然のことである。
【産業上の利用可能性】
【００４３】
本発明は、ロングガードル、ショートガードル、ボディスーツ、ショーツ、スパッツ、タイツ、レオタードなど身体身に密着させて着用するインナーボトムとして好適に利用できる。
【符号の説明】
【００４４】
１，３１  ロングガードル、ショートガードル        
９，３９  ヒップ当て布
９ａ，３９ａ  左ヒップ当て布  
９ｂ，３９ｂ  右ヒップ当て布
１５，４５    凹状湾曲部
１７，４７    長部突出片
１９，４９    短部突出片
２０，５０    孔部
【図１】
0005456809.tif 000002
【図２】
0005456809.tif 000003
【図３】
0005456809.tif 000004
【図４】
0005456809.tif 000005
【図５】
0005456809.tif 000006
【図６】
0005456809.tif 000007
【図７】
0005456809.tif 000008
【図８】
0005456809.tif 000009
【図９】
0005456809.tif 000010
【図１０】
0005456809.tif 000011
【図１１】
0005456809.tif 000012
【図１２】
0005456809.tif 000013
【図１３】
0005456809.tif 000014
【図１４】
0005456809.tif 000015